(57)【要約】【課題】複数の表示装置を互いに連結してマルチ表示装置として使用が可能なようにベゼル部の幅を最小化できる構造の表示装置を提供する。【解決手段】画像を表示する表示パネルと、その上面に前記表示パネルが配置され、下面に第１固定突起を含む第１フレームと、前記第１フレームと結合して前記第１固定突起が挿入される固定溝を含む第２フレームと、前記第１フレームと前記第２フレームとの間に介在し、前記第１固定突起が挿入される孔を有する光学部材と、４つの側壁部と、該側壁部から内側に延長されたベゼル部とを含み、内部に前記表示パネル、前記第１フレーム、及び前記第２フレームを収納する収納容器とを有する。【選択図】      図２
2010170138.tif 000002
【特許請求の範囲】
【請求項１】
画像を表示する表示パネルと、
その上面に前記表示パネルが配置され、下面に第１固定突起を含む第１フレームと、
前記第１フレームと結合して前記第１固定突起が挿入される固定溝を含む第２フレームと、
前記第１フレームと前記第２フレームとの間に介在し、前記第１固定突起が挿入される孔を有する光学部材と、
４つの側壁部と、該側壁部から内側に延長されたベゼル部とを含み、内部に前記表示パネル、前記第１フレーム、及び前記第２フレームを収納する収納容器とを有することを特徴とする表示装置。
【請求項２】
前記第１フレームは、内側が開口されて内側面を形成する四角形形状であり、前記内側面は、曲線部及び直線部を含み、前記曲線部は、前記上面と接し、前記直線部は、前記下面と接し、前記下面の幅は前記上面の幅より狭いことを特徴とする請求項１に記載の表示装置。
【請求項３】
前記表示パネルは、前記画像が表示される表示領域と前記表示領域の周辺部に前記画像が表示されない非表示部とを含み、前記第１フレームの少なくとも一部分は、前記表示領域と重畳することを特徴とする請求項１に記載の表示装置。
【請求項４】
前記第１フレームは、少なくとも一部分が透明材質で形成され、前記表示領域と重畳する領域が前記透明材質で形成されることを特徴とする請求項３に記載の表示装置。
【請求項５】
前記第２フレームは、前記第１フレームに向かって突出した第２固定突起を含み、
前記第１フレームと前記第２フレームとの間に光学シート又は拡散板の内の少なくとも一つを含み、前記光学シート又は前記拡散板の内の少なくとも一つは前記第２固定突起に挿入されて固定されることを特徴とする請求項１に記載の表示装置。
【請求項６】
前記ベゼル部の幅は、前記第１フレームの前記上面の幅より狭いことを特徴とする請求項１に記載の表示装置。
【請求項７】
前記ベゼル部は、二重以上に折り畳んで形成されることを特徴とする請求項６に記載の表示装置。
【請求項８】
前記ベゼル部は、下方に湾入させるか上方に突出させて、前記側壁部と平行であるように形成される補強部をさらに含むことを特徴とする請求項６に記載の表示装置。
【請求項９】
前記収納容器は、前記側壁部に第１開口部をさらに含み、前記第１フレームの拡張部又は前記第２フレームの拡張部の内の少なくとも一つが前記第１開口部に固定されることを特徴とする請求項１に記載の表示装置。
【請求項１０】
前記第１フレームと前記第２フレームはフック結合し、
前記第１フレームは、前記第２フレームに固定されるフック部材をさらに含み、前記収納容器は、前記側壁部に前記フック部材が挿入される第２開口部をさらに含むことを特徴とする請求項１に記載の表示装置。
【発明の詳細な説明】
【技術分野】
【０００１】
本発明は、表示装置に関し、より詳細には複数の表示装置を互いに連結してマルチ表示装置として使用が可能なようにベゼル部の幅を最小化できる構造を有する表示装置に関するものである。
【背景技術】
【０００２】
現代社会が高度に情報化されて行くにつれ表示装置の大型化及び薄型化に対する市場の要求に直面しており、従来のＣＲＴ装置は、このような要求を充分に満足させることができなかった。したがって、ＰＤＰ（Ｐｌａｓｍａ  Ｄｉｓｐｌａｙ  Ｐａｎｅｌ）装置、ＰＡＬＣ（Ｐｌａｓｍａ  Ａｄｄｒｅｓｓ  Ｌｉｑｕｉｄ  Ｃｒｙｓｔａｌ  ｄｉｓｐｌａｙ  ｐａｎｅｌ）装置、ＬＣＤ（Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などで代表されるフラットパネル表示装置に対する需要が爆発的に増えつつある。
【０００３】
特に、液晶表示装置は、省エネルギー、軽量、小容積のような長所を有するディスプレイ装置であって、コンピュータ産業、電子産業、情報通信産業などに幅広く応用されている。このような液晶表示装置は、画像情報を表示する液晶パネルを備える液晶パネルアッセンブリと、光を発生させる発光装置及び光を液晶パネル側にガイドする導光板を備えるバックライトアセンブリと、液晶パネルアッセンブリとバックライトアセンブリを収納する収納容器で構成される。
【０００４】
近年、大型画面の液晶表示装置が要求され、複数の表示装置ユニットを結合したマルチ表示装置に対する関心が高まりつつある。
【０００５】
マルチ表示装置は、複数の表示装置が互いにマトリックス形態に結合されて形成され、大型画面を構成する。このようなマルチ表示装置は、各表示装置の収納容器によって画面内部に非表示領域が形成される。画面内部に形成される非表示領域は、画面を歪め、見る人の満足感を損なう。したがって、画面内部の非表示領域を減らすために表示装置のベゼル領域を最小化できる構造が必要になってきている。
【０００６】
これにより、各表示装置の骨格を形成する収納容器が充分に剛性を維持し、ベゼルを領域の幅が最小化される構造が必要になってきているという問題がある。
【先行技術文献】
【特許文献】
【０００７】
【特許文献１】韓国特許出願公開第２００４−００３５１２２号明細書
【発明の概要】
【発明が解決しようとする課題】
【０００８】
そこで、本発明は上記従来のマルチ表示装置における問題点に鑑みてなされたものであって、本発明の目的は、複数の表示装置を互いに連結してマルチ表示装置として使用が可能なようにベゼル部の幅を最小化できる構造の表示装置を提供することにある。
【課題を解決するための手段】
【０００９】
上記目的を達成するためになされた本発明による表示装置は、画像を表示する表示パネルと、その上面に前記表示パネルが配置され、下面に第１固定突起を含む第１フレームと、前記第１フレームと結合して前記第１固定突起が挿入される固定溝を含む第２フレームと、前記第１フレームと前記第２フレームとの間に介在し、前記第１固定突起が挿入される孔を有する光学部材と、４つの側壁部と、該側壁部から内側に延長されたベゼル部とを含み、内部に前記表示パネル、前記第１フレーム、及び前記第２フレームを収納する収納容器とを有することを特徴とする。
【発明の効果】
【００１０】
本発明に係る表示装置によれば、上部収納容器のベゼル部を最小化できる構造を形成することにより、このような表示装置を上部収納容器が互いに接するようにマトリックス形態で配列して大面積のマルチ表示装置を実現することができるという効果がある。
【図面の簡単な説明】
【００１１】
【図１】本発明の第１の実施形態による表示装置の斜視図である。
【図２】図１に示す表示装置の分解斜視図である。
【図３】図１に示す表示装置に含まれる第１フレームと第２フレームとの結合を説明するための部分分解斜視図である。
【図４】図１に示す表示装置の部分斜視図である。
【図５】図４に示す表示装置をＶ−Ｖ’線に沿って切断した断面図である。
【図６】図５に示すＡ領域を拡大した拡大断面図である。
【図７】本発明の第２の実施形態による表示装置の部分斜視図である。
【図８】図７に示す表示装置に含まれる第１フレームと第２フレームとの結合を説明するための部分分解斜視図である。
【図９】図７に示す表示装置をＩＸ−ＩＸ’線に沿って切断した断面図である。
【図１０】本発明の第３の実施形態による表示装置の部分斜視図である。
【図１１】図１０に示す表示装置に含まれる第１フレームと第２フレームとの結合を説明するための部分分解斜視図である。
【図１２】図１０に示す表示装置をＸＩＩ−ＸＩＩ’線に沿って切断した断面図である。
【図１３】本発明の一実施形態による表示装置を含むマルチ表示装置の斜視図である。
【発明を実施するための形態】
【００１２】
次に、本発明に係る表示装置を実施するための形態の具体例を図面を参照しながら説明する。
【００１３】
本発明の利点、特徴、及びそれらを達成する方法は、添付する図面と共に詳細に後述する実施形態を参照すれば明確になるであろう。しかし、本発明は、以下で開示される実施形態に限定されるものではなく、互いに異なる多様な形態で具現され得、本実施形態は、単に本発明の開示が完全になるようにし、本発明が属する技術分野で通常の知識を有する者に発明の範疇を完全に知らせるために提供されるものであり、本発明は請求項の範囲によってのみ定義される。明細書全体にかけて同一参照符号は同一構成要素を指称する。
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは図面に図示されているように一つの素子または構成要素と、異なる素子または構成要素との相関関係を容易に記述するために使用され得る。空間的に相対的な用語は、図面に図示されている方向に加えて、使用時または動作時における素子の互いに異なる方向を含む用語として理解しなければならない。
【００１４】
以下、図１及び図２を参照して本発明の第１の実施形態による表示装置について詳細に説明する。
図１は、本発明の第１の実施形態による表示装置の斜視図であり、図２は、図１に示す表示装置の分解斜視図である。
【００１５】
本発明の第１の実施形態による表示装置１は、画像を表示する表示パネル２０と表示パネル２０に光を供給するバックライトアセンブリとを含み、表示パネル２０とバックライトアセンブリは、上部収納容器１０及び下部収納容器８０に収納される。上部収納容器１０の中央部には表示パネル２０が露出する開放窓が形成されており、上部収納容器１０は表示装置１の骨格を維持できるほどの剛性を保持し、表示パネル２０の露出面積を極力増加させることができるように形成される。以下、表示装置１の構造について具体的に説明する。
【００１６】
表示パネル２０は、画像を表示する役割をするものであって、下部表示板２１、上部表示板２２及び二つの表示板（２１、２２）の間に介在する液晶層（図示せず）を含む。
【００１７】
下部表示板２１は、ゲートライン（図示せず）、データライン（図示せず）、薄膜トランジスタアレイ（図示せず）、画素電極（図示せず）などを含み、上部表示板２２はカラーフィルタ（図示せず）、ブラックマトリックス（ｂｌａｃｋ  ｍａｔｒｉｘ）（図示せず）、共通電極（図示せず）などを含み得る。ここで、カラーフィルタ、共通電極などは下部表示板２１上に形成されてもよい。
【００１８】
本実施形態では、表示パネル２０は、液晶層を含む液晶パネルを具体的な実施形態として説明するが、これに限定されるものではなく、平板型の表示パネル２０を利用するすべての表示装置で使用され得る構造である。すなわち、本実施形態で述べる表示装置は表示パネルの露出を極大化し、表示装置の剛性を充分に維持できるようにして表示装置の非表示領域を減らし、表示領域を拡大できる構造を有する。このような構造を利用すれば、有効画面を増加させることができるだけでなく、マルチ表示装置の構成が容易な長所がある。このような本発明の構成については具体的に後述する。
【００１９】
図２を参照して本発明の第１の実施形態による表示装置の構成要素を具体的に説明する。
【００２０】
上部収納容器１０は、表示装置１の外観を形成し、内部に表示パネル２０が収納される空間が形成されている。このような上部収納容器１０の中央部には表示パネル２０を外部に露出させる開放窓が形成されている。
【００２１】
上部収納容器１０は、４側面に側壁部１１が形成されており、４つの側壁部１１から内側に延長されたベゼル部１２を含む。上部収納容器１０の４つの側壁部１１の厚さ及びベゼル部１２の幅は、表示装置１のサイズに影響を与えるため、可能であれば小さく形成することが好ましい。
【００２２】
一方、側壁部１１及びベゼル部１２は、表示装置１の全体的な剛性を維持するのに重要な役割をする部分であって、充分な剛性を維持できる構造で形成されなければならない。このような側壁部１１及びベゼル部１２の具体的な形状については後述する。
【００２３】
上部収納容器１０は、下部収納容器８０と結合し、上部収納容器１０と下部収納容器８０との間には表示パネル２０、光学シート４０、拡散板５０及び光源７０などが収納される。このとき、表示パネル２０、光学シート４０及び拡散板５０の収納を補助するために第１フレーム３０及び第２フレーム６０を含む。ここで、光学シート４０、拡散板５０及び光源７０とこれらの収納構造を含んでバックライトアセンブリと称する。すなわち、バックライトアセンブリは、表示パネル２０に面光源の形態で光を供給する構成要素を意味する。
【００２４】
本発明の第１の実施形態による表示装置１は、光源７０が表示パネル２０の直下面に位置する直下型バックライトアセンブリを含む。
【００２５】
光源７０は、蛍光ランプのような線光源形態のランプが使用され得る。ここで、光源として使用されるランプは、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）、熱陰極蛍光ランプ（Ｈｏｔ  Ｃａｔｈｏｄｅ  Ｆｌｕｏｒｅｓｃｅｎｔ  Ｌａｍｐ：ＨＣＦＬ）、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ：ＥＥＦＬ）などが使用され得る。
【００２６】
ランプは、複数個が均一の間隔に離隔して並列されて、直下型で構成され得る。ランプ内部の放電ガスの分布が一定になるようにして均一な輝度を得るためにランプは表示パネル２０に対して横方向に配列するのが好ましい。ランプの終端にはランプにランプ駆動電圧を提供してランプを支持及び固定するソケット７１が形成される。
【００２７】
しかしながら、光源７０は、蛍光ランプのような線光源の形態のみならず、点光源形態の発光ダイオード（Ｌｉｇｈｔ  Ｅｍｉｔｔｉｎｇ  Ｄｉｏｄｅ：ＬＥＤ）を使用することもできる。発光ダイオードは、回路基板に一定の間隔で連続的に配置され得る。発光ダイオードは、蛍光ランプに比べて高輝度、小型化構造が可能な構造であって超薄型表示装置の製造に有利であり得る。
【００２８】
発光ダイオードは、赤色光、緑色光、及び青色光を各々発光することによって色純度を高めることができるため表示装置は高品質の画像が得られる。また、赤色光、緑色光、及び青色光を各々制御することができるため、光源の色温度の調節が容易であり、より豊富な色相を表現できる表示装置を実現することができる。
【００２９】
本発明のような直下型バックライトアセンブリを含む表示装置１は、光源７０が下部収納容器８０の底面に均一に分布され、光源７０の真上に拡散板５０が配置される。
【００３０】
拡散板５０は、光源７０から入射する光を拡散させて表示パネル２０に均一な輝度の光を供給する役割を果たす。具体的に説明すると、光源７０は、線光源または点光源形態に分布され、表示パネル２０と重畳される全体的な面を基準として見れば輝度が不均一な形態で光を発散する。このような光は、光源７０周囲では光の輝度が高く、光源７０間の空間では輝度が低いため輝度が不均一になる。拡散板５０は、このように不均一な光の方向を多様な方向に拡散させて輝度の不均一性を減少させる。
【００３１】
拡散板５０は、拡散剤を添加した光透明性樹脂層で構成される。ここで、拡散剤はシリコーン拡散剤、マグネシウム拡散剤、又は酸化カルシウム拡散剤などを含み得る。また光透明性樹脂層は、ポリメチルメタクリレート（Ｐｏｌｙ  Ｍｅｔｈｙｌ  Ｍｅｔｈａｃｒｙｌａｔｅ、ＰＭＭＡ）、メチルスチレン（Ｍｅｔｈｙｌ  Ｓｔｙｒｅｎｅ、ＭＳ）、ポリスチレン（Ｐｏｌｙ  Ｓｔｙｒｅｎｅ、ＰＳ）、ポリカーボネート（Ｐｏｌｙ  Ｃａｒｂｏｎａｔｅ、ＰＣ）などを含み得る。
【００３２】
拡散板５０の上部には光学シート４０が配置される。光学シート４０は光源７０から伝達される光を拡散して集光する役割を果たす。光学シート４０は、例えば拡散シート（ｄｉｆｆｕｓｉｏｎ  ｓｈｅｅｔ）（図示せず）、第１プリズムシート（図示せず）、第２プリズムシート（図示せず）などを含み得る。ここで、拡散シートは、光源７０上部に位置して光源７０から入射する光の輝度均一性を向上させる役割を果たす。第１プリズムシートは、拡散シートの上部に位置し、第１プリズムシートの一面には拡散シートから広がった光を集光して出射するための三角柱形状のプリズムパターン（図示せず）が一定の配列を有して形成されている。第２プリズムシートは、第１プリズムシートの上部に位置し、光を集光及び偏光して出射する多層構造の反射型偏光プリズムシートである。ただし、第１プリズムシートのみでも輝度及び視野角を充分に確保できる場合、第２プリズムシートは除外され得る。このような光学シート４０は、バックライトアセンブリの仕様に応じて多様に変更することができる。
【００３３】
また、光学シート４０は、拡散シート、プリズムシート、保護シートのうち一つ以上で形成され得、拡散シート、プリズムシート、保護シートの機能をすべて実行できる複合的な機能を有する光学シート４０で形成され得る。すなわち、光学シート４０は下部に拡散機能を有するように形成し、上部にはプリズムパターン（図示せず）を形成し、プリズムパターンの上に保護層（図示せず）を形成することができる。このように、光学シート４０は一つに拡散機能及びプリズム機能をすべて含んでおり、構成要素を減らすことができるためさらにスリムな表示装置を実現することができる。
【００３４】
拡散板５０及び光学シート４０は、第１フレーム３０及び第２フレーム６０に固定されて上部収納容器１０及び下部収納容器８０内部に収納され得る。第１フレーム３０及び第２フレーム６０は、第１フレーム３０の上面に表示パネル２０の設置面を形成し、拡散板５０及び光学シート４０を安全に収納し、表示装置１の剛性を補強する役割を共に果たす。具体的な第１フレーム３０及び第２フレーム６０の構造については後述する。一方、光学シート４０及び拡散板５０などのような光学的機能をする構成要素を光学部材と称する。
【００３５】
反射シート７５は、光源７０の下部に設置されて、光源７０の下方に放出される光を上部に反射させる。反射シート７５としては弾性力が良く光反射が優れ、薄型で使用可能な素材を用いることが好ましい。例えば、ポリエチレンテレフタレート（ＰｏｌｙＥｔｈｙｌｅｎｅ  Ｔｅｒｅｐｈｔａｌａｔｅ：ＰＥＴ）を用いることができる。また反射シート７５は、弾性力が良い薄型の素材に光反射を高めるための反射膜をコーティングして形成することもできる。また反射シート７５は、下部収納容器８０の底面に一体で形成され得る。すなわち下部収納容器８０をアルミニウム（Ａｌ）又はアルミニウム合金などの反射度が高い物質で構成して下部収納容器８０自体に反射シート７５の機能を実行させることができる。
【００３６】
下部収納容器８０は、長方形形状を有して上面の縁に沿って側壁が形成され、側壁内に光学シート４０、拡散板５０、光源７０及び反射シート７５を受容して固定させる。
【００３７】
次に、図３〜図６を参照して本発明の第１の実施形態による表示装置に含まれる上部収納容器、第１フレーム及び第２フレームについて具体的に説明する。
ここで、図３は、図１に示す表示装置に含まれる第１フレームと第２フレームとの結合を説明するための部分分解斜視図であり、図４は、図１に示す表示装置の部分斜視図であり、図５は、図４に示す表示装置をＶ−Ｖ’線に沿って切断した断面図であり、図６は、図５に示すＡ領域を拡大した拡大断面図である。
【００３８】
先ず、図３を参照すると、光学シート４０及び拡散板５０は、第１フレーム３０と第２フレーム６０との間に固定される。第１フレーム３０に形成された第１固定突起３１は、光学シート４０及び拡散板５０を固定し、第１フレーム３０と第２フレーム６０を固定する役割を共に果たす。
【００３９】
第１フレーム３０は、その上面に表示パネル（図２の２０参照）の設置面を形成し、第１固定突起３１を含み、光学シート４０と拡散板５０を固定する。このような第１フレーム３０は、表示パネル２０の縁部と重畳するように中央部に開口部が形成された四角形フレーム形態で形成され得る。ただし、第１フレーム３０の形態は、四角形フレームに限定されるものではなく、必要に応じて表示パネル２０の縁部の一側または両側にのみ形成され得る。
【００４０】
また、第１フレーム３０は、表示パネル２０と重畳するように形成されるために第１フレーム３０を視認されないように透明材質で形成され得る。透明材質は、例えば、ＰＭＭＡ（ｐｏｌｙｍｅｔｈｙｍｅｔｈａｃｒｙｌａｔｅ）のようなプラスチック系の透明な物質で形成され得る。このように、第１フレーム３０を透明材質で形成して表示パネル２０で第１フレーム３０が暗部として視認されることを防止することができる。このような第１フレーム３０はフレームの内の一部のみを透明材質で形成することもできる。例えば、第１フレーム３０のうち表示パネル２０に暗部として視認され得る部分を透明物質で形成し、残りの部分を不透明物質で形成することによって、第１フレーム３０により不必要な部分に光が漏れることを防止することができる。
【００４１】
第１フレーム３０は射出成型法などにより形成することができ、一部のみを透明物質で形成するためにはインサート射出などの方法を用いることができる。
【００４２】
第１フレーム３０は下部に第１固定突起３１を含む。第１固定突起３１は、光学シート４０に形成された第１孔４１及び拡散板５０に形成された第２孔５１を貫いて第２フレーム６０の固定溝６３に挿入される。
【００４３】
第１固定突起３１は、第１フレーム３０と第２フレーム６０を互いに固定し、光学シート４０及び拡散板５０を第２フレーム６０に固定する役割を共に果たす。このような第１固定突起３１は第１フレーム３０の４辺に沿って複数形成され得る。
【００４４】
第１固定突起３１は、第１フレーム３０の幅に応じてその直径のサイズを調節することができる。このような第１固定突起３１は、光学シート４０及び拡散板５０が移動することを防止できるほどのサイズ及び数量で形成され得る。
【００４５】
また、光学シート４０及び拡散板５０に形成された第１孔４１及び第２孔５１は、光学シート４０及び拡散板５０の一端部に形成され、面光源の領域を最大化するために光学シート４０と拡散板５０の縁部に形成され得る。光学シート４０と拡散板５０の縁部が第１固定突起３１により固定されて光学シート４０と拡散板５０が常に平面を維持することができる。
【００４６】
第２フレーム６０は、第１フレーム３０の下部に位置して光学シート４０及び拡散板５０の設置面を形成する。第２フレーム６０は、第１フレーム３０に比べて厚さやその幅がさらに大きく形成され得る。このような第２フレーム６０は、４つの壁面６１と壁面６１から延長された傾斜面６２を含み得る。４つの壁面６１は、第２フレーム６０の剛性を維持し、傾斜面６２は光源７０の光を上部に反射する役割を果たす。
【００４７】
第１フレーム３０及び第２フレーム６０は、各々外側に突出した第１フレーム拡張部３６及び第２フレーム拡張部６４を含む。
【００４８】
図４及び図５を参照すると、第１フレーム拡張部３６及び第２フレーム拡張部６４は、上部収納容器１０の側壁部１１に形成された第１開口部１３に固定される。このような第１フレーム拡張部３６及び第２フレーム拡張部６４は、第１フレーム３０及び第２フレーム６０を上部収納容器１０に固定する役割をする。
【００４９】
第１フレーム拡張部３６及び第２フレーム拡張部６４は、第１開口部１３を通過し上部収納容器１０の外側に突出しない適切なサイズで形成され得る。上部収納容器１０の外側に第１フレーム拡張部３６及び第２フレーム拡張部６４が突出すれば複数の表示装置を連結してマルチ表示装置を形成することに障害要素になり得る。
【００５０】
光学シート４０及び拡散板５０は、第１フレーム拡張部３６及び第２フレーム拡張部６４のように突出の部分を形成せず四角形で形成され得る。
【００５１】
このような上部収納容器１０の側壁部１１に形成された第１開口部１３に第１フレーム３０及び第２フレーム６０を固定する構造は別途の構成要素を追加せず、簡単に構造変更をすることで第１フレーム３０及び第２フレーム６０を上部収納容器１０と結合することができる。
【００５２】
また、上部収納容器１０のベゼル部１２は、剛性の補強のために二重以上で形成され得る。上部収納容器１０は、金属板材を加工して形成することができる。金属板材は、薄い薄板部材で形成されて必要な構造物になるように折り曲げて形成することができる。特に、ベゼル部１２のように幅を狭く形成して剛性を高めるためには二重以上に折り畳んで形成することができる。ベゼル部１２を二重以上に折り畳んで形成するための方法として、例えば、ヘミング（ｈｅｍｍｉｎｇ）加工して形成することができる。
【００５３】
ベゼル部１２は、表示パネル２０の表示領域の部分は外部に露出させ、非表示領域と重畳するように形成され得る。
【００５４】
図６を参照すると、ベゼル部１２の幅（Ｗ１）を第１フレーム３０の幅（Ｗ２）より狭く形成することができる。ベゼル部１２は、表示パネル２０の非表示領域にのみ形成され得るが、第１フレーム３０は表示パネル２０の表示領域と一部が重畳され得る。
【００５５】
上述したように第１フレーム３０は、透明物質で形成されて表示パネル２０の表示領域と一部重畳されても表示パネル２０に暗部として視認されないようにしている。第１フレーム３０は、表示領域と重畳される一部が視認されないように内側面に曲線部３４と直線部３５を含み得る。
【００５６】
具体的に説明すると、第１フレーム３０は内側が開口されて内側面を形成する四角形形状で形成され得る。第１フレーム３０は、表示パネル２０が設置される上面３２と上面３２の反対面として光学シート４０と接する下面３３を含み、上面３２と下面３３との間を連結し、第１フレーム３０の内側面を形成する曲線部３４及び直線部３５を含む。
【００５７】
ここで、第１フレーム３０は、下面３３の幅が上面３２の幅より小さく形成され得る。このとき、上面３２には曲線部３４が接し、曲線部３４は直線部３５に延長され下面３３と接するようになる。
【００５８】
第１フレーム３０の曲線部３４と直線部３５は、第１フレーム３０による光の屈折率の差異を相殺させることができ、表示パネル２０に暗部が視認されることを防止することができる。曲線部３４は、上面３２に接するように形成され、断面形状が円または楕円の一端部形状で形成され得る。また直線部３５は、曲線部３４と下面３３を連結し、斜線形態で斜めに延長され得る。
【００５９】
下面３３には上述した第１固定突起３１が形成され得る。ここで、第１フレーム３０は、ベゼル部１２と重畳される領域を不透明な物質で形成して、表示領域と重畳される領域を透明物質で形成することができる。第１フレーム３０の上面３２の幅は第２フレーム６０の上面の幅より小さくなるように形成する。
【００６０】
一方、上部収納容器１０と表示パネル２０との間には表示パネル２０を保護して光漏れを防止する緩衝部材１５が介在され得る。緩衝部材１５は、金属材質の上部収納容器１０から表示パネル２０を保護できるように弾性力を有す部材で形成され得る。このような緩衝部材１５は、上部収納容器１０のベゼル部１２に沿って形成され、光が透過しない材質で形成され得る。
【００６１】
次に、図７〜図９を参照して本発明の第２の実施形態による表示装置について詳細に説明する。
図７は、本発明の第２の実施形態による表示装置の部分斜視図であり、図８は、図７に示す表示装置に含まれる第１フレーム及び第２フレームの結合を説明するための部分斜視図であり、図９は、図７に示す表示装置をＩＸ−ＩＸ’線に沿って切断した断面図である。説明の便宜上、第１の実施形態の図面に示す各部材と同一の機能を有する同一部材は同一符号で示す。したがって、その説明は省略する。
【００６２】
本発明の第２の実施形態による表示装置１は、光学シート４０及び拡散板５０の組み立てが容易になるように第２フレーム６０’に第２固定突起６５を含む。
【００６３】
第１フレーム３０は、表示パネル２０の設置面を形成し、第１固定突起３１を含み、光学シート４０と拡散板５０を固定する。このような第１フレーム３０は、表示パネル２０の縁と重畳するように中央部に開口部が形成された四角形フレーム形態で形成され得る。
【００６４】
第１フレーム３０は、下部に第１固定突起３１を含む。第１固定突起３１は、光学シート４０に形成された第１孔４１及び拡散板５０に形成された第２孔５１を貫いて第２フレーム６０’の固定溝６３に挿入される。
【００６５】
第１固定突起３１は、第１フレーム３０と第２フレーム６０’を互いに固定し、光学シート４０及び拡散板５０を第２フレーム６０’に固定する役割を共に果たす。このような第１固定突起３１は、第１フレーム３０の４辺に沿って複数形成され得る。
【００６６】
一方、第２フレーム６０’には第１固定突起３１が結合される固定溝６３と共に第２固定突起６５が形成される。第２固定突起６５は、光学シート４０と拡散板５０が第２フレーム６０’に簡単に固定されるようにする。
【００６７】
光学シート４０と拡散板５０の組み立て工程は、光学シート４０と拡散板５０を第２フレーム６０’上に設置させた後、第１フレーム３０を光学シート４０と拡散板５０の上部から下へ移動して組み立てる。このとき、第２フレーム６０’上に光学シート４０と拡散板５０を固定できる構造がなく、光学シート４０の第１孔４１と拡散板５０の第２孔５１が一致するように光学シート４０と拡散板５０を整列することが容易ではない。従って、第２フレーム６０’上に光学シート４０と拡散板５０を容易に整列させるために第２フレーム６０’上に第２固定突起６５を形成する。
【００６８】
第２フレーム６０’は、４つの壁面６１と４つの壁面６１から延長された傾斜面６２を含み得る。このとき、４つの壁面６１上には第２固定突起６５が形成されている。第２固定突起６５の高さは拡散板５０と光学シート４０の厚さを考慮して調節することができる。第２固定突起６５は、第１フレーム３０と第２フレーム６０’を固定する役割を必ず遂行する必要がないため、拡散板５０の厚さより若干高い程度で形成することができる。
【００６９】
第２固定突起６５は、上部収納容器１０のベゼル部１２と重畳するように形成されるのが好ましい。すなわち、第２固定突起６５が表示パネル２０の暗部として視認されることを防止するために表示パネル２０の非表示領域に形成され得る。
【００７０】
第２固定突起６５は、第２フレーム６０’と一体で形成され得る。しかし、これに限定されるものではなく、第２固定突起６５と第２フレーム６０’を各々形成して結合することもできる。また、例えば、第２固定突起６５が表示パネル２０に視認されることを防止するために透明な物質で形成されて第２フレーム６０’に固定することもできる。
【００７１】
一方、第２固定突起６５を透明な構造で形成するために、第２固定突起６５のみを透明な物質を挿入して残りの部分をモールドで形成するインサートモールド方式などで形成することも可能である。
【００７２】
光学シート４０と拡散板５０には第２固定突起６５が挿入できる第３孔４２及び第４孔５２が各々形成され得る。第３孔４２及び第４孔５２は、第１孔４１および第２孔５１のように光学シート４０と拡散板５０の縁部に形成され得る。このような第３孔４２及び第４孔５２は、第１孔４１及び第２孔５１より直径が小さいように形成され得る。
【００７３】
次に、図１０〜図１２を参照して本発明の第３実施形態による表示装置について詳細に説明する。
図１０は、本発明の第３の実施形態による表示装置の部分斜視図であり、図１１は、図１０に示す表示装置に含まれる第１フレームと第２フレームとの結合を説明するための部分分解斜視図であり、図１２は、図１０に示す表示装置をＸＩＩ−ＸＩＩ’線に沿って切断した断面図である。説明の便宜上、第１の実施形態の図面に示す各部材と同一の機能を有する同一部材は同一符号で示す。したがって、その説明は省略する。
【００７４】
本発明の第３の実施形態による表示装置は、上部収納容器１０’のベゼル部１２’に剛性を補強する補強部１６を含み、第１フレーム３０’及び第２フレーム６０がフック結合する。
【００７５】
第１フレーム３０’は、表示パネル２０の設置面を形成し、第１固定突起３１を含み、光学シート４０と拡散板５０を固定する。このような第１フレーム３０’は、表示パネル２０の縁部と重畳するように中央部に開口部が形成された四角形フレーム形態で形成され得る。
【００７６】
第１フレーム３０’は、下部に第１固定突起３１を含む。第１固定突起３１は、光学シート４０に形成された第１孔４１及び拡散板５０に形成された第２孔５１を貫いて第２フレーム６０の固定溝６３に挿入される。
【００７７】
第１固定突起３１は、第１フレーム３０’と第２フレーム６０を互いに固定し、光学シート４０及び拡散板５０を第２フレーム６０に固定する役割を共に果たす。このような第１固定突起３１は、第１フレーム３０’の４辺に沿って複数形成され得る。
【００７８】
また、第１フレーム３０’は、第２フレーム６０とフック結合するためにフック部材３７を含む。第１フレーム３０’と第２フレーム６０は、第１固定突起３１と固定溝６３により互い結合され得る。これに対して第１フレーム３０’と第２フレーム６０との結合力を補強するために第１フレーム３０’にフック部材３７を含ませることができる。
【００７９】
フック部材３７は、第１フレーム３０’の外側に形成されて第２フレーム６０に向かって鉤状突起形態で形成され得る。このようなフック部材３７は、第２フレーム６０の一端部と結合することができる。
【００８０】
第２フレーム６０は、４つの壁面６１と４つの壁面６１から延長された傾斜面６２を含み得る。
【００８１】
また、上部収納容器１０’の側壁部１１には第２開口部１４が形成されている。第２開口部１４は、第１フレーム３０’のフック部材３７の少なくとも一部が露出するようにする。フック部材３７の少なくとも一部が露出することによって上部収納容器１０’の内側に収納される空間を減らすことができ、上部収納容器１０’のベゼル部１２’の幅を減らすことができる。
【００８２】
このとき、フック部材３７は、上部収納容器１０’の側壁部１１を通じて外部に突出しないように形成するのが好ましい。
【００８３】
上部収納容器１０’のベゼル部１２’には剛性を補強するための補強部１６を含む。補強部１６は、ベゼル部１２’の面を下部に湾入させた形態で形成され得る。すなわち、側壁部１１と平行した畝間（ｆｕｒｒｏｗ）形態で形成され得る。このように、ベゼル部１２’に畝間形態で湾入された補強部１６を形成することによって、ベゼル部１２’を狭くて強く形成することができる。
【００８４】
ただし、補強部１６は、ベゼル部１２’を下部に湾入させて、形成することに限定されるものではなく、ベゼル部１２’を上部に突出させて側壁部１１と平行するように補強部１６を形成することもできる。
【００８５】
次に、図１３を参照して、本発明の一実施形態による複数の表示装置を連結して形成したマルチ表示装置を詳細に説明する。
図１３は、本発明の一実施形態による表示装置を含むマルチ表示装置の斜視図である。
【００８６】
図１及び図１３を参照すると、マルチ表示装置１００は、複数の表示装置１をマトリックス形態で結合して形成する。マルチ表示装置１００は、複数の表示装置１の各画面をすべて含み、大面積の画面を形成するようになる。
このとき、複数の表示装置１は、各々単位表示装置になり、複数の表示装置１の各ベゼル部１２は大面積の画面で非表示領域を形成するようになる。したがって、各表示装置１のベゼル部１２は、暗部として視認され、ベゼル部１２を最小化できる構造が必要であることがわかる。
【００８７】
尚、本発明は、上述の実施形態に限られるものではない。本発明の技術的範囲から逸脱しない範囲内で多様に変更実施することが可能である。
【符号の説明】
【００８８】
１    表示装置
１０、１０’    上部収納容器
１１    側壁部
１２、１２’    ベゼル部
１３    第１開口部
１４    第２開口部
１５    緩衝部材
１６    補強部
２０    表示パネル
２１    下部表示板
２２    上部表示板
３０、３０’    第１フレーム
３１    第１固定突起
３６    第１フレーム拡張部
３７    フック部材
４０    光学シート
４１    第１孔
４２    第３孔
５０    拡散板
５１    第２孔
５２    第４孔
６０、６０’    第２フレーム
６１    壁面
６２    傾斜面
６３    固定溝
６４    第２フレーム拡張部
６５    第２固定突起
７０    光源
７５    反射シート
８０    下部収納容器
１００    マルチ表示装置
【図１】
2010170138.tif 000003
【図２】
2010170138.tif 000004
【図３】
2010170138.tif 000005
【図４】
2010170138.tif 000006
【図５】
2010170138.tif 000007
【図６】
2010170138.tif 000008
【図７】
2010170138.tif 000009
【図８】
2010170138.tif 000010
【図９】
2010170138.tif 000011
【図１０】
2010170138.tif 000012
【図１１】
2010170138.tif 000013
【図１２】
2010170138.tif 000014
【図１３】
2010170138.tif 000015